(57)【要約】【課題】ヘアカット練習用人頭模型を希望の角度に簡単にかつ長期間の使用によっても締め付け度を維持できるようにする。【解決手段】回転胴３２を回転すると、コマ５は基台３０内の段部３９に載っており下降できないので、ネジシャフト３３のネジ作用によって回転胴３２が基台３０内を上昇し、ネジシャフト３３の先端が球面座５３の下面に当たって押し上げ、支持体４の球状体４１をハウジング３１の開口４２の縁に押し当てて部材の緩みは解消される。その状態で、締め付けネジ３４のハンドル３６を回転してハウジング３１を基台３０側に押し下げて支持体４をワンタッチで固定する。  部材の緩みが生じても、球面座を上昇させて支持体４の球状体４１をハウジング３１の開口４２の縁に押し当ててから緊結するようにしたので、適切な緊結度を常に得ることができる。【選択図】図１
2006068306.tif 000002
【特許請求の範囲】
【請求項１】
ヘアカット練習用人頭模型の固定具であって、中空の基台と上部に開口を有するハウジングとからなり、支持体の下端の球状体がハウジング内に収容されて支持ヘッドがハウジングの開口より突出し、基台内には頭部にネジシャフトを有する回転胴が回転可能に設置してあり、回転胴の上部にネジシャフトと噛み合う雌ねじを有するコマが回転不能に設けてあり、コマの上にバネを介して球面座が設けてあり、球面座で支持体の球状体が支持されている人頭模型の固定具。
【請求項２】
請求項１において、コマの下面に緩衝部材が設けてある人頭模型の固定具。
【請求項３】
ヘアカット練習用人頭模型の固定具であって、中空の基台と上部に開口を有するハウジングとからなり、支持体の下端の球状体がハウジング内に収容されて支持ヘッドがハウジングの開口より突出し、基台内には頭部にネジシャフトを有する回転胴が回転可能に設置してあり、回転胴のネジシャフトと噛み合う雌ねじを有する球面座が回転不能に設けてあり、球面座で支持体の球状体が支持されている人頭模型の固定具。
【発明の詳細な説明】
【技術分野】
【０００１】
本発明は、理容・美容の頭髪のカットの練習に使用する人頭模型の固定具に関し、練習者が人頭模型を希望の角度に簡単に調節固定できるようにすると共に長期間の使用によっても固定手段に緩みがでないようにしたものである。
【背景技術】
【０００２】
ヘアカット等の調髪技術を修得するため、頭髪を植えつけた人頭模型が使用されている。この人頭模型は、机や椅子に固定して練習するものであり、図６に示すクランプを有する固定具や、三脚の頭部に取付けて固定している。人頭模型の基部に設けてある取付孔に固定具のコーン状の支持部を嵌入させている。
調髪部位によっては、頭部を傾斜させる必要があり、支持部は、特許文献１（実開昭５６−８５６１１号公報）に示されるように、その基部の球体部と球面座によって全方向に傾斜可能にしてある。
【特許文献１】実開昭５６−８５６１１号公報
【特許文献２】特開平９−２７６０４３号公報
【特許文献３】特開平１０−２２８２３３号公報
【特許文献４】特許第３２９１６０６号公報
【発明の開示】
【発明が解決しようとする課題】
【０００３】
従来の人頭模型の固定具は、支持体の球体部をケーシング内の円筒状の球面座または、円筒の縁で受け、支持体を希望する角度に傾斜させ、ケーシングと基台を締め付け固定することによってケーシングで球体を押さえつけ、支持体が設定した角度から動かないようにしている。
しかしながらこの構成では、基台とケーシングをその中心位置から外れた位置で締め付けるため、締め付けと解放を何度も繰り返すことによって、締め付け力が低下する傾向があり、使用中に人頭模型の重みで支持体が固定した位置から動いてずれることがあり、締め付け直しをしなければならなかった。そのため、製造時に緩みを想定して球状体と球面座の余裕がない状態に基台とハウジングを組み立てているが、支持体の動きが固くなり希望の角度への設定が容易でない、また、ハンドルによる締め付けが固く、大きな力を要するなどの問題があった。
本発明は、この問題を解決し、長期間の使用によっても支持体の固定がゆるむことがないようにし、常にハンドルのワンタッチ操作で支持体を固定できるようにするものである。
【課題を解決するための手段】
【０００４】
ヘアカット練習用人頭模型の固定具であって、中空の基台と上部に開口を有するハウジングとからなり、支持体の下端の球状体がハウジング内に位置して支持ヘッドがハウジングの開口より突出しており、基台内には頭部にネジ棒を有する回転胴が回転可能に設置してあり、回転胴のネジ棒はその上部に設けた回転不能のコマの雌ねじとかみあっており、コマの上にバネを介して球面座が設けてあり、球面座で支持体の球状体が支持されるようにすることにより、人頭模型を希望する傾斜に簡単に固定することができるようにすると共に、使用による緩みを簡単に修正できるようにしたものである。
【発明を実施するための最良の形態】
【０００５】
実施例１
図１及び図２の断面図及び図３の正面図に示すように人頭模型固定具は、机等に固定するクランプ１とクランプ１に対して上下方向にスライドさせて人頭模型の高さ調整を調整ネジ２５でおこなうシャフト２、及び人頭模型を希望の角度に固定するための固定部３から構成される。
図１は、当初の状態で回転胴３２が基台３０底部に位置する状態であり、図２は、回転胴３２を回転させて上昇させた状態を示すものである。
【０００６】
クランプ１は、固定ネジで机の天板を締め付けて固定する一般的なものであり、上部固定板とネジ頭部はゴム等の弾性材が被せてあり、天板に傷を付けることがないようにしてある。
シャフト２は、断面が四角形の棒であり、角部にはＲを付けてある。頭部に雄ねじ２１が設けてあり、固定部３の基台３０がナット２２で連結固定される。基台３０とクランプ１の間にはスプリング２３が設置されており、人頭模型を取り付けた状態で、高さ調整中に基台３０が急激に落下してクランプ１に衝突する際の衝撃を緩衝する。
シャフト２は、クランプ１に対してスライド上下動可能であり、クランプに設けた高さ調整ネジ２５で所定の高さに固定され、高さ調整ネジ２５がすべらないように、シャフト２にはネジ先端が入り込む凹部２４が適宜の間隔で設けてある。
【０００７】
シャフト２の頭部に固定した固定部３の基台３０は、図４に示すように中空円筒形であり、側面の前後に窓が形成してある。基台３０の内部には側面に滑り止めの線条突起が形成してある回転胴３２が回転自在に挿入してあり、窓に露出した回転胴３２を使用者が手で回転することができる。回転胴３２の頂部からはネジシャフト３３が上方に向かって突出している。基台３０の上辺部には、張り出し部３７が形成してあり、基台３０に載置されるハウジング３１を締め付け固定する締め付けネジ３４を通す穴３８が設けてある。
【０００８】
基台３０の内部の下側は円筒形であり回転胴３２を回転可能に収容しており、上部は図４に示すように円形の側面をカットして直線状とした断面である。この断面形状と同じく両側に直線部を形成したコマ５が基台３０の上部に挿入されている。回転胴３２を収容する部分の直径は上部より僅かに小さな直径としてあるので段部３９が形成されており、段部３９にコマ５が載る状態となる。コマ５は、両側に直線部を有しているため、基台３０内では回転できない。
コマ５の中央部には雌ねじが形成してあり、回転胴３２のネジシャフト３３のネジ部が噛み合っている。さらに、コマ５の下面に雌ねじ穴の径より小さな径の穴を設けたゴムなどの弾性材からなる緩衝部材５１が嵌め込んであり、上部からの衝撃等によって、回転胴３２が緩むのを防止している。また、ネジシャフト３３が緩衝部材５１に接しているため回転胴３２の動きを抑制しており、回転胴３２を回転させる際に適度の抵抗感を使用者に与えている。
コマ５の上側には圧縮状態にしたバネ５２を介して球面座５３が載せてあり、球面座５３に上向きの力が常時付加されている。
【０００９】
基台３０には中空体のハウジング３１が被せてあり、側面の固定ネジ３５と上下方向の締め付けネジ３４に回転締め付け力を与えるハンドル３６によってワンタッチで基台３０と一体的に固定される。
ハウジング３１内部には、人頭模型に挿入される支持体４が、球面座５３の座面にその球状体４１が載せて組み立ててあり、３６０度の方向に傾斜可能である。テーパーを有する支持ヘッド４３は、ハウジング３１の上部の開口４２から外側に突出している。球状体４１の直径は、ハウジングの開口４２の径より大きくしてあり、球状体４１が開口４２の縁に当たるので、球面座５３が押し上げられると、支持体４の傾斜が制限される。
【００１０】
ハウジング３１の底辺は、締め付けネジ３４に向かって僅かに浮き上がるように斜めにしてあって隙間Ｖが形成されており、ハンドル３６を操作して締め付けネジ３４を締めるとハウジング３１が、ハウジング側面の固定ネジ３５を支点に基台３０側に下がるようにしてある。ハウジング３１の下降動によってハウジング３１内部に設置してある支持体４の球状体４１がハウジング３１の上部開口４２の縁に押しつけられるので、支持体４は設定した傾斜で固定される。
【００１１】
次に使用状態を説明する。
従来と同様に、人頭模型に支持体４の支持ヘッド４３を差し込んで固定し、締め付けネジ３４を緩めて支持体４を希望の傾斜に設定し、ハンドル３６によってワンタッチで基台３０とハウジング３１を締めつけることによって支持体は所定の角度に固定される。
使用の経過と共に部材の摩耗、例えば締め付け操作によって球面座５３もしくは球状体４１の摩耗が進んだり、ハウジング３１の摩耗で締め付けが弱くなり、支持体４を一旦固定しても、人頭模型の重みで倒れるような場合、回転胴３２を回転することによって球面座５３を押し上げ、摩耗等による緩みを解消する。
【００１２】
図２に示すように、回転胴３２を回転すると、コマ５は基台３０内の段部３９に載っていて下降できないので、ネジシャフト３３のネジ作用によって回転胴３２が基台３０内を上昇し、ネジシャフト３３の先端が球面座５３の下面に当たって押し上げ、支持体４の球状体４１をハウジング３１の開口４２の縁に押し当てて部材の緩みは解消される。その状態で、締め付けネジ３４のハンドル３６を回転してハウジング３１を基台３０側に押し下げて支持体４をワンタッチで固定する。
【００１３】
なお、回転胴３２を逆に回転した場合、ネジシャフト３３の働きでコマ５が上昇し、この上昇力はバネ５２を介して球面座５３に伝達されて球面座５３を押し上げ、支持体４の球状体４１をハウジング３１の開口４２の縁に押し当てるので部材の緩みが解消される。
【００１４】
実施例２
図５に示すように、基本的構成は実施例１と変わりがなく、球面座５３の位置を調整して部材の緩みを解消する機構において、コマ５を省略したものである。
回転胴３２の頂部から延びるネジシャフト３３が、球面座５３の下面側に形成した雌ねじが噛み合っており、球面座５３の下面に雌ねじ穴の径より小さな径の穴を設けたゴムなどの弾性材からなる緩衝部材５１が嵌め込んである。基台３０の内部の下側は円筒形であり回転胴３２を回転可能に収容しており、上部は図４に示すように円形の側面をカットして直線状とした断面である。
【００１５】
球面座５３は、両側に直線部を有する平面形状のため、基台３０内では回転できず、回転胴３２を回転するとネジシャフト３３の回転は、ネジ作用によって球面座５３を上下方向に移動させることになるので、球面座５３の面と開口４２との間の距離を調整することができる。
部材に緩みが発生した場合、回転胴３２を回転させて球面座５３を上昇させ、支持体４の球状体４１をハウジング３１の開口４２の縁に押し当てて部材の緩みを解消する。その状態で、締め付けネジ３４のハンドル３６を回転してハウジング３１を基台３０側に押し下げて支持体４をワンタッチで固定する。
【００１６】
従来は、ハウジング３１と基台３０を締め付けネジ３４で緊結するのみで支持体４を固定していたのを、支持体４の球状体４１の直下に位置する球面座５３を回転胴３２を回転するだけで支持体４の球状体４１をハウジング３１の開口４２の縁に押し当てて部材の緩みを解消するので、使用によって緊結に緩みが生じても、簡単に緩みを解消でき、ワンタッチのハンドル操作で適切な緊結度を常に得ることができるようになった。
【００１７】
なお、本実施例においては、机の天板に固定するクランプとの組み合せのもので説明したが、本発明はこのような形態の支持具に限定されるものではなく、例えば、三脚への取付部を備えた構成にしてもよい。
【産業上の利用可能性】
【００１８】
従来の固定具は、ハウジングと基台を締め付けネジで緊結するのみで支持体を固定していたのを、支持体の球状体の直下に位置する球面座を回転胴とコマを上昇させることによって、支持体の球状体をハウジングの縁に押し当ててから、ハウジングと基台を緊結するようにしたので、使用によって緊結に緩みが生じても、適切な緊結度を常に得ることができるようになり、使用者が練習の途中に何度も締め付けネジを締め直す必要がなくなり、ヘアカットの練習に専念することができる。
【図面の簡単な説明】
【００１９】
【図１】本発明の実施例１の主要部の拡大断面図。
【図２】本発明の実施例１の緩み解消の状態を説明する主要部の拡大断面図。
【図３】本発明の実施例１の全体図。
【図４】基台の斜視図。
【図５】本発明の実施例２の主要部の拡大断面図。
【図６】従来の固定具の断面図。
【符号の説明】
【００２０】
１     クランプ
２     シャフト
３      固定部
３０    基台
３１    ハウジング
３２    回転胴
３３    ネジシャフト
４      支持体
４１    球状体
５      コマ
５１    緩衝部材
５２    バネ
５３    球面座
【図１】
2006068306.tif 000003
【図２】
2006068306.tif 000004
【図３】
2006068306.tif 000005
【図４】
2006068306.tif 000006
【図５】
2006068306.tif 000007
【図６】
2006068306.tif 000008